(57)【要約】【課題】リフトした皮膚の固定前にバーブ（ｂａｒｂ）または突起の分解が抑制される新規な顔面および身体リフト用縫合糸を提供することにある。【解決手段】本発明は、より効率的なリフト施術を提供するための縫合糸に関し、複数の円錐型突起または漏斗型突起が縫合糸の本糸の外周面に形成されたポリマー素材からなる顔面および身体リフト用縫合糸を提供する。突起は縫合糸の本糸を中心に放射形対称構造に形成された円錐型、多角錐型、円錐台型、変形された多角錐型、多角錐台型、変形された多角錐台型、円筒形、変形された円筒形、多角柱型および変形された多角柱型の立体構造または立体構造の外周面および内部の縫合糸の本糸部位を除いた空間の一部または全部が空いた漏斗形状を有し、複数の突起は縫合糸の中心を基準に頂点が互いに向き合うように対称形に配置される。【選択図】図１
2020189103.tif 000002
【特許請求の範囲】
【請求項１】
複数の突起が縫合糸の本糸の外周面に形成されたポリマーまたは金からなる顔面および身体リフト用縫合糸であって、前記突起は前記縫合糸の本糸を中心に放射形対称構造に形成された円錐型、多角錐型、円錐台型、変形された多角錐型、多角錐台型、変形された多角錐台型、円筒形、変形された円筒形、多角柱型および変形された多角柱型の立体構造または前記立体構造の外周面および内部の縫合糸の本糸部位を除いた空間の一部または全部が空いた漏斗形状を有し、前記複数の突起は前記縫合糸の中心を基準に頂点が互いに向き合うように対称形に配置される、顔面および身体リフト用縫合糸。
【請求項２】
対をなす複数の突起または突起単位が縫合糸の本糸の外周面に形成されたポリマーまたは金からなる顔面および身体リフト用縫合糸であって、前記突起は前記縫合糸の本糸を中心に放射形対称構造に形成された円錐型、多角錐型、円錐台型、変形された多角錐型、多角錐台型、変形された多角錐台型、円筒形、変形された円筒形、多角柱型および変形された多角柱型の立体構造または前記立体構造の外周面および内部の縫合糸の本糸部位を除いた空間の一部または全部が空いた漏斗形状を有する、顔面および身体リフト用縫合糸。
【請求項３】
前記突起の傾斜面である母線の角度が前記縫合糸の本糸の中心軸に対して２０〜６０°の角度で形成される、請求項１または２に記載の顔面および身体リフト用縫合糸。
【請求項４】
前記突起は下面が平面であるかまたは頂点方向に窪んだ曲面である、請求項１または２に記載の顔面および身体リフト用縫合糸。
【請求項５】
前記漏斗形状の外壁の厚さは前記縫合糸の本糸直径の３０〜９０％である、請求項１または２に記載の顔面および身体リフト用縫合糸。
【請求項６】
前記ポリマーは非吸水性ポリマーまたは吸水性ポリマーである、請求項１または２に記載の顔面および身体リフト用縫合糸。
【請求項７】
前記対をなす複数の突起は前記突起の頂点または下面が互いに向き合う対称形である、請求項２に記載の顔面および身体リフト用縫合糸。
【請求項８】
前記突起単位は一方向の複数の突起と反対方向の単数または複数の突起が交互に配置されて構成される、請求項２に記載の顔面および身体リフト用縫合糸。
【請求項９】
前記一方向の突起数と前記反対方向の突起数が互いに同一な対称形である、請求項８に記載の顔面および身体リフト用縫合糸。
【請求項１０】
前記一方向の突起数と前記反対方向の突起数が互いに異なる非対称形である、請求項８に記載の顔面および身体リフト用縫合糸。
【請求項１１】
前記突起の母線の延長線が縫合糸の本糸の内部で会う点である仮想の頂点が両末端側に向かうように両方向に形成されるか、または前記仮想の頂点が中心部に向かうように両方向に形成される、請求項１または２に記載の顔面および身体リフト用縫合糸。
【請求項１２】
連続して配列された前記突起の大きさが規則的にまたは不規則的に形成される、請求項１または２に記載の顔面および身体用リフト用縫合糸。
【請求項１３】
連続して配列された前記突起の形態が規則的にまたは不規則的に形成される、請求項１または２に記載の顔面および身体用リフト用縫合糸。
【請求項１４】
前記突起および／または前記縫合糸の本糸に一つ以上のコグ（ｃｏｇ）が規則的にまたは不規則的に形成される、請求項１または２に記載の顔面および身体用リフト用縫合糸。
【請求項１５】
前記対をなす突起の頂点または下面が互いに向き合うかまたは所定距離だけ離隔している、請求項２に記載の顔面および身体用リフト用縫合糸。
【請求項１６】
前記突起の頂点または下面が離隔している場合、前記頂点または下面間の連結部位は縫合糸の本糸と厚さが同じであるかまたはさらに厚い、請求項１５に記載の顔面および身体用リフト用縫合糸。
【請求項１７】
前記突起の頂点または下面が離隔している場合、前記頂点または下面間の離隔した距離が規則的または不規則的である、請求項１５に記載の顔面および身体用リフト用縫合糸。
【請求項１８】
前記対をなす複数の突起または突起単位が規則的にまたは不規則的に配列される、請求項２に記載の顔面および身体用リフト用縫合糸。
【請求項１９】
前記対をなす複数の突起または突起単位が他の形態の突起組み合わせで多数の他の単位を有する、請求項２に記載の顔面および身体用リフト用縫合糸。
【請求項２０】
前記対をなす複数の突起または突起単位とコグが規則的にまたは不規則的に配列される、請求項１４に記載の顔面および身体用リフト用縫合糸。
【発明の詳細な説明】
【技術分野】
【０００１】
本発明は縫合糸に関し、具体的には、顔面および身体リフト用縫合糸に関する。
【背景技術】
【０００２】
縫合糸は、手術時に患部を縫い合わせるのに用いられる糸である。通常、縫合糸は生体内で一定時間が経過すれば分解されて皮膚に吸収されるコラーゲンまたはＰＬＧＡ［ｐｏｌｙ（ｌａｃｔｉｃ−ｃｏ−ｇｌｙｃｏｌｉｃ）  ａｃｉｄ］のような生分解性または吸水性ポリマー素材からなるものと、施術後に除去しなければならない非生分解性ポリマー素材からなるものに区分され、最近では、生体適合性および施術の簡便性により、生分解性ポリマー素材からなるものがより普遍的に用いられている。さらに、このような生分解性ポリマー素材からなる縫合糸の場合、最近、弛んだ皮膚を引っ張って伸ばす顔面リフト（ｆａｃｅ  ｌｉｆｔｉｎｇ）施術にも用いられており、縫合糸を皮下に挿入して皮膚を引いた後に固定させるために、バーブ（ｂａｒｂ）、結び目（ｋｎｏｔ）または突起が形成された縫合糸が製造されて用いられている。このような、バーブ（ｂａｒｂ）または突起構造を有した縫合糸には、射出成形された縫合糸の前身を前記前身を構成する生吸水性高分子のガラス転移温度以上および融点以下の範囲の固体状態に延伸した後、延伸された縫合糸を熱処理することを特徴とする縫合糸の製造方法に関する大韓民国特許第１０５７３７６号、両方向にコグが形成された縫合糸に関する大韓民国特許第１４５５６８３号などが存在する。しかし、このようなバーブ（ｂａｒｂ）、結び目（ｋｎｏｔ）または突起は一部自動化された製造装置があるものの、主に手作業でなめらかな縫合糸の表面に切り目をつけてコグのような構造を形成するかまたは結び目（ｋｎｏｔ）を作る方式で製造されているため、単価が高いのが短所である。また、上記のようにバーブ（ｂａｒｂ）や突起を形成させた生分解性ポリマー素材の縫合糸の場合、バーブ（ｂａｒｂ）や突起部分が縫合糸の本体よりその厚さが薄いため、縫合糸の本体が皮膚組織で生分解される前にバーブ（ｂａｒｂ）や突起部分が先に分解されることにより、皮膚が固定される前にリフト部位が解かれる問題が発生するという短所を有している。
【０００３】
そこで、リフトした皮膚が固定された後に生分解されて実質的にリフトの役割をするバーブ（ｂａｒｂ）または突起がより長時間保持される、より効率的な顔面および身体リフト用縫合糸を開発する必要性が提起されている。
【先行技術文献】
【特許文献】
【０００４】
【特許文献１】大韓民国特許第１０５７３７６号
【特許文献２】大韓民国特許第１４５５６８３号
【発明の概要】
【発明が解決しようとする課題】
【０００５】
本発明の目的は、リフトした皮膚の固定前にバーブ（ｂａｒｂ）または突起の分解が抑制される新規な顔面および身体リフト用縫合糸を提供することにある。
【０００６】
また、本発明の目的は、既存の顔面および身体リフト用縫合糸が顔筋肉の動きに応じて組織内部で折れ、１）末端あるいは中央部に位置した固定点（ａｎｃｈｏｒ  ｐｏｉｎｔ）との結束が切れてリフト効果が減少するという短所、２）糸がまっすぐに入らずに生じる、引くベクトル（ｖｅｃｔｏｒ）の変換に応じたリフト張力の損失、３）糸が切れて、両方向であったコグ（ｃｏｇ）が単方向のみの方向性（ｄｉｒｅｃｔｉｖｉｔｙ）を有するようになり、組織外に押し出る現象を改善することにある。
【０００７】
なお、本発明の目的は、既存の鋸歯が有している小さい表面積により発生する限界点である、リフト糸の鋸歯が吸収される速度が縫合糸が吸収される速度に比べて速いために施術の目的であるリフト効果の持続時間が短いということと、適用部位が少ないために張力の弱いバーブ（ｂａｒｂ）または突起の表面積に広くすることで一つのバーブ（ｂａｒｂ）または突起が効果的に多くの組織を支えるようにすることにある。
【課題を解決するための手段】
【０００８】
本発明の一観点によれば、複数の突起が縫合糸の本糸の外周面に形成されたポリマーまたは金からなる顔面および身体リフト用縫合糸であって、前記突起は前記縫合糸の本糸を中心に放射形対称構造に形成された円錐型、多角錐型、円錐台型、変形された多角錐型、多角錐台型、変形された多角錐台型、円筒形、変形された円筒形、多角柱型および変形された多角柱型の立体構造または前記立体構造の外周面および内部の縫合糸の本糸部位を除いた空間の一部または全部が空いた漏斗形状を有し、前記複数の突起は前記縫合糸の中心を基準に頂点が互いに向き合うように対称形に配置された、顔面および身体リフト用縫合糸が提供される。
【０００９】
本発明の他の一実施例によれば、対をなす複数の突起または突起単位が縫合糸の本糸の外周面に形成されたポリマーまたは金からなる顔面および身体リフト用縫合糸であって、前記突起は前記縫合糸の本糸を中心に放射形対称構造に形成された円錐型、多角錐型、円錐台型、変形された多角錐型、多角錐台型、変形された多角錐台型、円筒形、変形された円筒形、多角柱型および変形された多角柱型の立体構造または前記立体構造の外周面および内部の縫合糸の本糸部位を除いた空間の一部または全部が空いた漏斗形状を有する、顔面および身体リフト用縫合糸が提供される。
【００１０】
前記顔面および身体リフト用縫合糸において、前記対をなす複数の突起または突起単位は突起の下面または頂点が互いに向き合うように対をなし、一つの突起対または突起単位がリフト機能およびアンカー機能を同時に行うことができる。
【００１１】
さらに、本発明の一実施例による顔面および身体リフト用縫合糸において、前記突起単位は突起が対称形、すなわち、上述したように突起の下面または頂点が互いに向き合うようになった糸巻きのような形態（−−＞−＜−−）または末端が尖った槍の形態（−−＜−＞−−）だけでなく、一側方向の突起数がより多い非対称形（例えば、−＜＜−＞−−、−−＜−＜−＞−−、−−＞＞−＜−、−−＞−＞＜−−）の形態を有することができる。
【００１２】
前記のような突起対または一つの突起単位は、個別突起対または突起単位が一つのリフトユニットとして作用すると共に固定体（アンカー）の役割を同時に行うことができるため、特定の縫合糸部位が切断または溶けて無くなっても依然としてリフトの役割を行うことができるようになる。
【００１３】
本発明の一実施例による顔面および身体リフト用縫合糸は、金型を用いた射出成形、旋盤を用いた切削工程または可変型ノズルを備えた押出機による可変押出成形、融点以下〜ガラス転移温度以上の温度条件で成形される加熱−圧縮固相成形により製造されることができるが、可変型ノズルを備えた可変断面押出機による可変断面押出工程により製造されることが好ましい。
【発明の効果】
【００１４】
本発明の一実施例による顔面および身体リフト用縫合糸は、縫合糸の外周面の全体にかけて皮膚組織を固定できる突起が一定厚さ以上に形成されることができるため、皮膚が固定される前にバーブ（ｂａｒｂ）または突起が分解されてリフト効果が失われるという問題を解決できるだけでなく、縫合糸周辺の皮膚組織の全体に対して張力を与えることができるため、より安定したリフト効果を示すことができる。勿論、本発明の範囲が前記効果に限定されるものではない。
【００１５】
また、本発明の実施例による顔面および身体リフト用縫合糸は、縫合糸の個別突起または突起単位がリフト効果を提供すると共に固定点（ａｎｃｈｏｒｉｎｇ  ｐｏｉｎｔ）の役割をするため、上記した糸の特徴により、糸が切れても個別の突起がリフト効果を保持すると共に、組織内部における移動を最小化して施術後の保持期間と施術効果の増進を提供することができる。勿論、本発明の範囲が前記効果に限定されるものではない。
【図面の簡単な説明】
【００１６】
【図１】本発明の一実施例による顔面および身体リフト用縫合糸の構造を簡略に示す概要図である。
【図２】図１の顔面および身体リフト用縫合糸の断面を示す断面図である。
【図３】本発明の図１の他の一実施例による顔面および身体リフト用縫合糸の構造を簡略に示す概要図である。
【図４】本発明の他の一実施例による顔面および身体リフト用縫合糸の構造を概略的に示す概要図である。
【図５】図４の顔面および身体リフト用縫合糸の断面を示す断面図である。
【図６】本発明の他の一実施例による突起が両方向に形成された縫合糸の構造を概略的に示す概要図である。
【図７】本発明のまた他の一実施例による突起が両方向に形成された縫合糸の構造を概略的に示す概要図である。
【図８】本発明の様々な実施例による縫合糸の構造を概略的に示す概要図である。ａは漏斗型突起が互いに向き合って接している縫合糸構造を示し、ｂは円錐型突起が互いに向き合って接している縫合糸構造を示し、ｃは前記ａの構造において漏斗型突起が互いに接した部分の厚さが本糸の厚さよりさらに厚い縫合糸構造を示し、ｄは前記ｂの構造において円錐型突起が互いに接した部分の厚さが本糸の厚さよりさらに厚い縫合糸構造を示し、ｅは互いに向き合った漏斗型突起が直ちに接しているのではなく適切な距離で離隔している縫合糸構造を示し、ｆは互いに向き合った円錐型突起が直ちに接しているのではなく適切な距離で離隔している縫合糸構造を示す。
【図９】本発明の一実施例による突起の下面４３が互いに向き合った形状の縫合糸を概略的に示す概要図である。
【図１０】本発明の一実施例による突起の下面５３が互いに向き合い、且つ、突起の下面５３の連結線が縫合糸の本糸の厚さより厚い形状の縫合糸を概略的に示す概要図である。
【図１１】本発明の一実施例による突起の下面６３が互いに向き合った１対の突起対内の一つの突起６２ｂと隣接した突起６２ｃが同じ方向に形成された形状の縫合糸を概略的に示す概要図である。
【図１２】本発明の一実施例による下面を向き合う１対の突起のいずれか一つ７２ｂが対面する突起７２ａより大きさがさらに小さい形状を有した縫合糸を概略的に示す概要図である。
【図１３】本発明の一実施例による縫合糸の様々な外形を有した突起の縦断面を示す縦断面図である。
【図１４】本発明の一実施例による縫合糸の様々な外形を有した突起を縫合糸を中心に見た側面図である。
【図１５】本発明の一実施例による様々な突起の変形が反映された縫合糸を概略的に示す概要図である。
【発明を実施するための形態】
【００１７】
本発明の一観点によれば、複数の突起が縫合糸の本糸の外周面に形成されたポリマーまたは金からなる顔面および身体リフト用縫合糸であって、前記突起は前記縫合糸の本糸を中心に放射形対称構造に形成された円錐型、多角錐型、円錐台型、変形された多角錐型、多角錐台型、変形された多角錐台型、円筒形、変形された円筒形、多角柱型および変形された多角柱型の立体構造または前記立体構造の外周面および内部の縫合糸の本糸部位を除いた空間の一部または全部が空いた漏斗形状を有し、前記複数の突起は前記縫合糸の中心を基準に頂点が互いに向き合うように対称形に配置された、顔面および身体リフト用縫合糸が提供される。
【００１８】
本発明の他の一実施例によれば、対をなす複数の突起または突起単位が縫合糸の本糸の外周面に形成されたポリマーまたは金からなる顔面および身体リフト用縫合糸であって、前記突起は前記縫合糸の本糸を中心に放射形対称構造に形成された円錐型、多角錐型、円錐台型、変形された多角錐型、多角錐台型、変形された多角錐台型、円筒形、変形された円筒形、多角柱型および変形された多角柱型の立体構造または前記立体構造の外周面および内部の縫合糸の本糸部位を除いた空間の一部または全部が空いた漏斗形状を有する、顔面および身体リフト用縫合糸が提供される。
【００１９】
前記顔面および身体リフト用縫合糸において、前記対をなす複数の突起または突起単位は突起の下面または頂点が互いに向き合うように対をなしているため、一つの突起対または突起単位がリフト機能およびアンカー機能を同時に行うことができる。
【００２０】
前記顔面および身体リフト用縫合糸において、前記突起単位は突起が対称形、すなわち、上述したように突起の下面または頂点が互いに向き合うようになった糸巻きのような形態（−−＞−＜−−）または末端が尖った槍の形態（−−＜−＞−−）だけでなく、一側方向の突起数がより多い非対称形（例えば、−＜＜−＞−−、−−＜−＜−＞−−、−−＞＞−＜−、−−＞−＞＜−−）の形態を有することができる。
【００２１】
前記顔面および身体リフト用縫合糸において、前記突起の母線の角度が前記縫合糸の本糸の中心軸に対して２０〜６０°の角度で形成され、前記突起は下面が平面であるかまたは前記突起の仮想頂点方向に窪んだ形状であってもよい。同様に、前記突起の外壁および縫合糸の本糸部分を除いた内部の一部または全部が空いている場合（この場合、便宜上、「漏斗型突起」という）、前記漏斗の外壁の厚さは前記縫合糸本体の少なくとも３０〜９０％であってもよい。この時、前記漏斗型突起は、少なくとも一つ以上の放射状溝が形成されて分岐した形状を有することができる。
【００２２】
前記顔面および身体リフト用縫合糸において、前記変形された多角錐型、変形された多角錐台型、または変形された多角柱型は、側面が平面でなく窪んでいるかまたは凸に突出した形態を意味する。変形された円筒形は、側面が完全な円形でなく窪んだ溝があるかまたは凸の突起を有した形態を意味する。
【００２３】
前記顔面および身体リフト用縫合糸において、前記ポリマーは非吸水性ポリマーまたは吸水性ポリマーであってもよく、前記非吸水性ポリマーはＰＥＴ（ｐｏｌｙｅｎｔｈｙｌｅｎｅ  ｔｅｒｅｐｈｔｈａｌａｔｅ）、ナイロン、ポリアミド、ＰＶＤＦ（ｐｏｌｙｖｉｎｙｌｄｅｎｅ  ｆｌｕｏｒｉｄｅ）またはポリプロピレンであってもよく、前記吸水性ポリマーはポリジオキサノン（ｐｏｌｙｄｉｏｘａｎｏｎｅ）、乳酸（Ｌ−ｌａｃｔｉｄｅ）重合体（ｐｏｌｙｌａｃｔｉｃ  ａｃｉｄ）、グリコール酸（Ｇｌｙｃｏｌｉｄｅ）重合体（ｐｏｌｙｇｌｙｃｏｌｉｃ  ａｃｉｄ）、乳酸とグリコール酸（Ｇｌｙｃｏｌｉｄｅ）の共重合体［ｐｏｌｙ（ｌａｃｔｉｃ−ｃｏ−ｇｌｙｃｏｌｉｃ  ａｃｉｄ）］またはポリジオキサン（Ｐｏｌｙ ｄｉｏｘａｎｅ）であってもよく、乳酸（Ｌ−ｌａｃｔｉｄｅ）、グリコール酸（Ｇｌｙｃｏｌｉｄｅ）、またはその共重合体がカプロラクトン（Ｃａｐｌｏｌａｃｔｏｎｅ）またはトリメチレンカーボネート（Ｔｒｉｍｅｔｈｙｌｅｎｅ  ｃａｒｂｏｎａｔｅ）と混練（Ｂｌｅｎｄｉｎｇ）された高分子の中から選択されるいずれか一つであってもよく、金で製作も可能である。
【００２４】
前記顔面および身体リフト用縫合糸において、前記対をなす複数の突起は、前記突起の頂点または下面が互いに向き合う対称形であってもよい。
【００２５】
前記顔面および身体リフト用縫合糸において、前記突起単位は、一方向の複数の突起と反対方向の単数または複数の突起が交互に配置されて構成されることができる。この場合、前記一方向の突起数と前記反対方向の突起数が互いに同一な対称形であるか、または前記一方向の突起数と前記反対方向の突起数が互いに異なる非対称形であってもよい。
さらに、前記顔面および身体リフト用縫合糸において、前記突起または突起単位は単方向または両方向に形成されることができ、前記突起または突起単位は突起の頂点または下面が互いに向き合うように対をなすことができる。
【００２６】
より具体的には、前記突起は、母線の延長線が縫合糸の本糸の内部で会う点である仮想の頂点が両末端側に向かうように両方向に形成されるか、または前記仮想の頂点が中心部に向かうように両方向に形成されることができる。
【００２７】
また、前記突起は、母線の角度が両端で本糸の中心軸に対して２０〜６０°の角度で連結され、中間部分が本糸と同一線上で本糸の厚さより厚くなる断面が円形の杖鼓（チャング）の形態、あるいは断面が多角形である変形された杖鼓（チャング）の形態であってもよい。
【００２８】
前記顔面および身体リフト用縫合糸において、前記突起または突起単位が単方向または両方向に形成されることができる。
【００２９】
前記顔面および身体リフト用縫合糸において、前記突起の下面が円形、楕円形または多角形、変形された多角形であってもよい。
【００３０】
前記顔面および身体リフト用縫合糸において、連続して配列された前記突起の大きさが規則的にまたは不規則的に形成されることができる。
【００３１】
前記顔面および身体リフト用縫合糸において、連続して配列された前記突起の形態が規則的にまたは不規則的に形成されることができる。
【００３２】
前記顔面および身体リフト用縫合糸において、前記突起および／または前記縫合糸の本糸に一つ以上のコグ（ｃｏｇ）が規則的にまたは不規則的に形成されることができる。
【００３３】
前記顔面および身体リフト用縫合糸において、前記突起または突起単位の頂点または下面が直ちに向き合うかまたは所定の距離だけ離隔していてもよい。
【００３４】
前記顔面および身体リフト用縫合糸において、前記突起または突起単位の頂点または下面が離隔している場合、前記頂点または下面間の連結部位は縫合糸の本糸と厚さが同じであるかまたはさらに厚くてもよい。
【００３５】
前記顔面および身体リフト用縫合糸において、前記突起または突起単位の頂点または下面が離隔している場合、前記頂点または下面間の離隔した距離が規則的または不規則的であってもよい。
【００３６】
前記顔面および身体リフト用縫合糸において、一つの突起対または突起単位が固定点（ａｎｃｈｏｒｉｎｇ  ｐｏｉｎｔ）の役割をすることができる。
【００３７】
前記顔面および身体リフト用縫合糸において、前記突起対または突起単位が規則的にまたは不規則的に配列されることができる。
【００３８】
前記顔面および身体リフト用縫合糸において、前記突起対または突起単位が他の形態の突起組み合わせで多数の他の単位を有することができる。
【００３９】
前記顔面および身体リフト用縫合糸において、前記突起対または突起単位とコグが規則的にまたは不規則的に配列されることができる。
【００４０】
本発明の一実施例による顔面および身体リフト用縫合糸は、金型を用いた射出成形、旋盤を用いた切削工程または可変型ノズルを備えた押出機による可変押出成形、融点以下〜ガラス転移温度以上の温度条件で成形される加熱−圧縮固相成形により製造されることができるが、可変型ノズルを備えた可変断面押出機による可変断面押出工程により製造されることが好ましい。
【実施例】
【００４１】
以下、本発明の実施例は本発明の理想的な実施例を概略的に示す図面を参照して説明する。図面において、例えば、製造技術および／または公差（ｔｏｌｅｒａｎｃｅ）により、図示された形状の変形が予想できる。したがって、本発明思想の実施例は本明細書に図示された領域の特定形状に制限されるものとして解釈してはならず、例えば、製造上もたらされる形状の変化を含まなければならない。
【００４２】
さらに、添付された図面において、突起の形状は基本的に円錐型突起または円錐型の漏斗型突起を基本に示したが、これらの突起は円錐台型、円柱型、多角錐型、多角錐台型に代替されてもよく、これらの立体図型の形態が多様に変形できるため、本発明の理解を助けるために図面上には円錐型突起として図示されていても、これを単に突起と説明することにする。
【００４３】
図１は、本発明の一実施例による顔面および身体リフト用縫合糸の構造を簡略に示す概要図である。
図１に示すように、本発明の一実施例による縫合糸１０は、縫合糸の本糸１１に所定間隔で突起１２が形成されている。突起１２は製造時に縫合糸の本糸１１と一体に製造され、縫合糸１０を製造するために様々な方法が使用できる。このような方法には、金型を用いた射出成形および可変ノズルを採用した可変断面押出機を用いた可変断面押出成形が含まれる。選択的に本発明の一実施例による縫合糸は、よい厚い原糸の形態に製造された後、旋盤を用いて切削加工することによって円錐型突起を形成させることができる。一方、円錐の下面に該当する固定面１３は平面であってもよく、選択的に突起１２がバーブ（ｂａｒｂ）のような役割をするように窪んだ曲面であってもよい（図示せず）。
【００４４】
本文書で用いられる用語「縫合糸の本糸」は突起部分が除去された細長い円柱形状の縫合糸の主要ボディ部を意味する。これは、本発明の縫合糸の構造を区分するために便宜上称されるものであって、縫合糸の本糸と突起が一体でない分離型であることを意味するのではない。
【００４５】
図２は、図１の顔面および身体リフト用縫合糸の断面を示す断面図である。図２に示すように、突起部分の切断面は直角三角形の形態となる。この時、前記円錐型突起の母線１４と縫合糸の本糸１１の中心軸１５との角度θは２０〜６０°であることが好ましく、角度が大き過ぎると、施術作業性が落ち、突起が過度に薄くなって縫合糸の本糸１１より先に消失される可能性が存在し、角度が小さ過ぎると、皮膚組織に固定される面の面積が狭くなって固定能力が落ちる。さらに、前記突起の母線の延長線が縫合糸の本糸内部で会う点を仮想の頂点１６と称することにする。
【００４６】
図３は、本発明の他の一実施例による顔面および身体リフト用縫合糸２０の構造を概略的に示す概要図である。図３に示すように、図１の円錐型突起の代わりに多角錐型突起が生成されることができる。多角錐はｎ個の頂点２２と母線の端が連結された線分とからなるｎ角形の下面２３を有しており、図３では例示的に６角錐を示したが、４角錐、５角錐、８角錐などのいかなる形態の多角錐を用いてもよく、突起の外周面に溝が形成された変形多角錐も採用可能である。
【００４７】
図４は、本発明の他の一実施例による顔面および身体リフト用縫合糸３０の構造を簡略に示す概要図である。図４に示すように、縫合糸の本糸３１に漏斗型突起３２が形成されることができる。この場合、漏斗型突起３２の外壁である漏斗壁体３３はその厚さが縫合糸の本糸３１直径の３０〜９０％であることが好ましい。漏斗壁体の厚さが薄過ぎると、皮膚が固定される前に突起が分解されて皮膚固定効果が落ち、壁体の厚さが厚過ぎると、固定が円滑になされない。
【００４８】
図５は、図４の顔面および身体リフト用縫合糸の断面を示す断面図である。図５に示すように、皮膚への縫合糸の固定は、漏斗型突起３２の壁体３３厚さを調節することによって達成できる。
【００４９】
図６は、本発明の他の一実施例による縫合糸の構造を概略的に示す概要図である。図６に示すように、本発明の一実施例によるリフト用縫合糸は、突起の形状を矢印形に仮定する場合、矢印方向が縫合糸の中心部に向かうように（すなわち、前記仮想の頂点の方向が縫合糸の中心部に向かうように）両方向に突起が形成されることができる。すなわち、複数の突起の下面が縫合糸の両末端方向に向かうように縫合糸の中心部を基準に対称形に配置されることができる。図６に示すように、突起の矢印方向が中心に向かう場合、前記突起は両側に引っ張った縫合糸に引張力（ｔｅｎｓｉｏｎ）を加える役割をするようになる。すなわち、突起部分がアンカー役割をすることによって両地点を引っ張るリフト効果が発生するようになる。
【００５０】
図７は、本発明のまた他の一実施例による縫合糸の構造を概略的に示す概要図である。本発明の他の一実施例による縫合糸は、図６に示されたものとは逆に、矢印方向が両末端側に向かうように（すなわち、前記仮想の頂点が両末端側に向かうように）縫合糸の中心部を基準に対称形に突起が形成されることができる。この場合、逆に突起が固定される両地点を基準に引張力が発生するのではなく、かえって皮膚組織を伸ばした状態で縫合糸を挿入することで伸ばされた皮膚を固定するアンカーの効果を発揮するようになることによって、特定部位の皮膚組織を伸ばすことを可能にするという長所がある。すなわち、図７に示すように、糸巻きのような形状をした突起対はそのものでリフトおよび固定点（ａｎｃｈｏｒｉｎｇ  ｐｏｉｎｔ）としての役割を同時にすることができる。
【００５１】
図８は、本発明のまた他の一実施例による縫合糸の構造を概略的に示す概要図である。突起の形状を矢印形に仮定する場合、矢印方向が互いに接する構造が繰り返し配列されるように突起が形成されることができる。二つの矢印の大きさは同一であるか、またはある一つがより大きくてもよい。より具体的には、図８ａに示すように、漏斗型突起が互いに向き合うが、直ちに接した縫合糸の構造を有することができ、このように互いに接した漏斗型突起はあたかも杖鼓や糸巻きの形状と類似しており、このような杖鼓や糸巻き形状の互いに接した漏斗型突起が繰り返された構造を有することができる。この時、前記互いに接した漏斗型突起は、図８ｂに示すように、互いに接した円錐型突起に代替されるか、または多角錐型突起（図示せず）に代替されてもよい。一方、漏斗型突起、多角錐型突起または円錐型突起が完全に接せずに連結部位を通して所定距離で離隔でき、このような構造は図８ｃ〜ｆに示されている。この場合、図８のｃおよびｅは漏斗型突起を有する縫合糸であり、図８のｄおよびｆは円錐型突起を有する縫合糸である。この場合、連結部位の厚さは縫合糸の本糸より厚くてもよく（図８のｃおよびｄ）、縫合糸の本糸と同一であってもよい（図８のｅおよびｆ）。連結部位の厚さが厚い場合には、張力が最も強力に作用する連結部位において縫合糸が切断されるのを防止することができる。前記所定距離は、前記円錐型突起または漏斗型突起の高さの１／１０倍〜１０倍の範囲で自由に調節できる。上記のように、漏斗型突起、多角錐型突起または円錐型突起が互いに向き合った糸巻き形状の構造を形成しつつ繰り返される構造を有する縫合糸は、互いに向き合った二つの突起とその間に空間が組織を引くことによってリフト効果を出すと共に固定点（Ａｎｃｈｏｒｉｎｇ  ｐｏｉｎｔ）の役割をする。
【００５２】
図９は、本発明の一実施例による突起の下面４３が互いに向き合った形状の縫合糸を概略的に示す概要図である。図９には互いに向き合う下面４３間の距離ｃが互いに向き合う頂点４６間の距離ｄより短く示されたが、ｃとｄは同じであるかまたは異なってもよい。
図８および９に示すように、本発明の一実施例によるリフト用縫合糸は向き合った二つの突起とその間に空間が組織を引くことによってリフト効果を出すと共に固定点（ａｎｃｈｏｒｉｎｇ  ｐｏｉｎｔ）の役割をする。
【００５３】
図１０は、本発明の一実施例による突起の下面５３が互いに向き合い、且つ、突起の下面５３の連結線が縫合糸の本糸の厚さより厚い形状の縫合糸を概略的に示す概要図である。
【００５４】
図１１は、本発明の一実施例による突起の下面６３が互いに向き合う１対の突起対内の一つの突起６２ｂと隣接した突起６２ｃが同じ方向に形成された形状の縫合糸を概略的に示す概要図である。突起の下面６３を向き合う二つの突起６２ａ、６２ｂと同じ方向に向かう二つの突起６２ｂ、６２ｃのように突起が配列される順は不規則的に配列されてもよく、この時、突起の下面を向き合う突起６２ａ、６２ｂ間の縫合糸６７の長さと突起の頂点を向き合う突起６２ｃ、６２ｄ間の縫合糸の長さは同じであるかまたは異なってもよい。また、下面を向き合う突起６２ａ、６２ｂ、６２ｄ、６２ｅ間の本糸６７の厚さは、向き合う頂点間の本糸６１の厚さと同じであるかまたは厚くてもよく、突起の下面６３の太さと同じであるかまたは薄くてもよい。
【００５５】
図１２は、本発明の一実施例による下面を向き合う１対の突起のいずれか一つ７２ｂが対面する突起７２ａより大きさがより小さい形状を有した縫合糸を概略的に示す概要図である。図８のように突起が規則的に配列されるか、図１１のように突起方向が不規則的に配列される時、連続する突起７２ａ、７２ｂ、７２ｃ、７２ｄ、７２ｅ、７２ｆおよび７２ｇの大きさは同じであるかまたは異なってもよい。この時、突起間の距離も同じであるかまたは異なってもよい。
【００５６】
図１３は、本発明の一実施例による縫合糸の様々な外形を有した突起の縦断面を示す縦断面図である。ａは突起が円錐型または多角錐型の形状を有した時に可能な縦断面であり、ｂは突起が円錐台型または多角錐台型の形状を有した時に可能な縦断面であり、ｃは突起が円錐型や多角錐型の形状において外壁と本糸だけ残った内部が空いた漏斗型である時の縦断面であり、ｄは突起が円錐台型または多角錐台型の形状において外壁と本糸だけ残った内部が空いた漏斗型である時の縦断面であり、ｆは二つの突起が互いに向き合った杖鼓型突起である時の縦断面である。前記突起の縦断面は上述した様々な突起の形態に応じて様々な形状を示し、さらに、このような形態の突起は規則的にまたは不規則的に羅列されることができる。
【００５７】
図１４は、本発明の一実施例による縫合糸の様々な外形を有した突起を縫合糸を中心に見た側面図である。この時、突起の形態としては例示的に円錐型（ａ）、四角錐型（ｂ）、円錐台型（ｃ）、四角錐台型（ｄ）、八角錐型（ｆ）、八角錐台型（ｇ）、外周面が窪んだ形態の変形六角錐型（ｈ）、変形四角錐型（ｉ）、変形三角錐型（ｊ）、変形八角錐型（ｋ）、円錐形状の漏斗型突起の壁体に溝が形成された形態（ｌ）および四角錐台形状の漏斗型突起の壁体に溝が形成された形態（ｍ）が挙げられ、図示されていない様々な変形も可能である。
【００５８】
図１５は、本発明の一実施例による様々な突起の変形が反映された縫合糸を概略的に示す概要図である。図１５に示すように、前記言及された突起と突起または本糸に形成されたコグ８３ａ、８３ｂ、８３ｃが規則的にまたは不規則的に配列されることができる。
本発明は上述した実施例を参考に説明されたが、これは例示的なものに過ぎず、当技術分野で通常の知識を有した者であれば、それより様々な変形および均等な他の実施例が可能であることを理解することができるであろう。したがって、本発明の真の技術的保護範囲は添付された特許請求の範囲の技術的思想によって定められなければならない。
【産業上の利用可能性】
【００５９】
本発明の一実施例による顔面および皮膚リフト用縫合糸は、健康の目的または皮膚美容の目的の医療施術に用いられる医療用具として使用できる。
【図１】
2020189103.tif 000003
【図２】
2020189103.tif 000004
【図３】
2020189103.tif 000005
【図４】
2020189103.tif 000006
【図５】
2020189103.tif 000007
【図６】
2020189103.tif 000008
【図７】
2020189103.tif 000009
【図８】
2020189103.tif 000010
【図９】
2020189103.tif 000011
【図１０】
2020189103.tif 000012
【図１１】
2020189103.tif 000013
【図１２】
2020189103.tif 000014
【図１３】
2020189103.tif 000015
【図１４】
2020189103.tif 000016
【図１５】
2020189103.tif 000017
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
複数の突起が縫合糸の本糸の外周面に形成されたポリマーまたは金からなる顔面および身体リフト用縫合糸であって、前記突起は前記縫合糸の本糸を中心に放射形対称構造に形成された円錐型、多角錐型、円錐台型、変形された多角錐型、多角錐台型、変形された多角錐台型、円筒形、変形された円筒形、多角柱型および変形された多角柱型の立体構造または前記立体構造の外周面および内部の縫合糸の本糸部位を除いた空間の一部または全部が空いた漏斗形状を有し、前記複数の突起は前記縫合糸の中心を基準に頂点が互いに向き合うように対称形に配置される、顔面および身体リフト用縫合糸。
【外国語明細書】
2020189103000001.pdf